【手続補正書】
【提出日】令和1年7月17日(2019.7.17)
【手続補正１】
【補正対象書類名】特許請求の範囲
【補正対象項目名】全文
【補正方法】変更
【補正の内容】
【特許請求の範囲】
【請求項１】
（１）第１の濃度のガドリニウム（Ｇｄ）を有する第１のゲルを含む標的と、
Ｇｄの前記第１の濃度より低い第２の濃度のＧｄを有する第２のゲルを収容する標的容器と、
５×１０−６Ｍｏｌ／ｍＬ〜５×１０−５Ｍｏｌ／ｍＬのＧｄ濃度を有する水を収容する水容器と
を含み、前記標的が、前記標的容器内に組み込まれかつ前記第２のゲルによって安定させられ、前記標的容器が前記水容器内に収容される、ファントム；
（２）折り畳み式空気容器であって、前記折り畳み式空気容器の膨張によって前記ファントムを移動させるように前記ファントムに作動可能に接続された前記折り畳み式空気容器；
（３）前記折り畳み式空気容器と流体連通している空気ポンプ；および
（４）前記空気ポンプによって生成された空気圧を調整するように構成され、それによって次に前記ファントムの位置が調整される、電子制御装置
を備えるシステム。
【請求項２】
前記標的は球形である、請求項１に記載のシステム。
【請求項３】
前記電子制御装置は、前記システムにヒトの呼吸運動を模倣させるように構成された制御装置モジュールを備える、請求項１に記載のシステム。
【請求項４】
１サイクル当たり２〜２０秒の呼吸数、及び３〜３０ｍｍの呼吸深度をシミュレーションするように構成されている、請求項３に記載のシステム。
【請求項５】
空気吸入口を更に備え、前記空気吸入口は、前記折り畳み式空気容器に接続されかつ前記折り畳み式空気容器と流体連通している、請求項１に記載のシステム。
【請求項６】
前記空気吸入口は空気吸入弁を備え、前記空気吸入弁は、空気を前記折り畳み式空気容器内に流入のみさせる一方向弁である、請求項５に記載のシステム。
【請求項７】
ホースを更に備え、前記ホースの第１端は前記空気吸入口に接続され、前記ホースの第２端は前記空気ポンプに接続されている、請求項６に記載のシステム。
【請求項８】
外部代用物に取り付けられたリニアアクチュエータを更に備え、前記外部代用物は１つ以上のマーカーを備え、前記リニアアクチュエータは前記ファントムに取り付けられている、請求項７に記載のシステム。
【請求項９】
前記マーカーの１つ以上は赤外線マーカーである、請求項８に記載のシステム。
【請求項１０】
前記外部代用物はＲＰＭボックスである、請求項９に記載のシステム。
【請求項１１】
前記リニアアクチュエータは、前記電子制御装置と電子的に通信し、前記電子制御装置は、前記リニアアクチュエータの運動を制御するように構成されている、請求項８に記載のシステム。
【請求項１２】
前記電子制御装置はＲＳＤ制御装置である、請求項１１に記載のシステム。
【請求項１３】
前記ファントムを載せるプラットフォームを更に備える、請求項１に記載のシステム。
【請求項１４】
前記プラットフォームは、前記プラットフォームを進めるように構成された１つ以上の車輪を備える、請求項１３に記載のシステム。
【請求項１５】
前記プラットフォームの前記１つ以上の車輪を載せるベッドを更に備える、請求項１４に記載のシステム。
【請求項１６】
前記プラットフォームの前記１つ以上の車輪に対応するように構成された１本以上のレールを更に備える、請求項１５に記載のシステム。
【請求項１７】
磁気共鳴画像化スキャナを更に備える、請求項１６に記載のシステム。
【請求項１８】
コンピュータ断層撮影（ＣＴ）スキャナを更に備える、請求項１６に記載のシステム。
【請求項１９】
前記折り畳み式空気容器は蛇腹である、請求項１から１８のいずれか一項に記載のシステム。
【手続補正２】
【補正対象書類名】明細書
【補正対象項目名】０００６
【補正方法】変更
【補正の内容】
【０００６】
各種実施形態では、本発明は、上述したシステムのいずれかと、ＣＴスキャナ及び／またはＭＲＩスキャナを用いてファントムを画像化するためのその使用説明書とを含むキットを教示する。
[本発明1001]
（1）第1の濃度のガドリニウム（Ｇｄ）を有する第1のゲルを含む標的と、
Ｇｄの前記第1の濃度より低い第2の濃度のＧｄを有する第2のゲルを収容する標的容器と、
5×10−6Ｍｏｌ／ｍＬ〜5×10−5Ｍｏｌ／ｍＬのＧｄ濃度を有する水を収容する水容器と
を含み、前記標的が、前記標的容器内に組み込まれかつ前記第2のゲルによって安定させられ、前記標的容器が前記水容器内に収容される、ファントム；
（2）折り畳み式空気容器であって、前記折り畳み式空気容器の膨張によって前記ファントムを移動させるように前記ファントムに作動可能に接続された前記折り畳み式空気容器；
（3）前記折り畳み式空気容器と流体連通している空気ポンプ；および
（4）前記空気ポンプによって生成された空気圧を調整するように構成され、それによって次に前記ファントムの位置が調整される、電子制御装置
を備えるシステム。
[本発明1002]
前記空気ポンプは前記ファントムとは別の部屋に配置されている、本発明1001のシステム。
[本発明1003]
前記標的は球形である、本発明1001のシステム。
[本発明1004]
前記電子制御装置は、前記システムにヒトの呼吸運動を模倣させるように構成された制御装置モジュールを備える、本発明1001のシステム。
[本発明1005]
1サイクル当たり2〜20秒の呼吸数、及び3〜30ｍｍの呼吸深度をシミュレーションするように構成されている、本発明1004のシステム。
[本発明1006]
空気吸入口を更に備え、前記空気吸入口は、前記折り畳み式空気容器に接続されかつ前記折り畳み式空気容器と流体連通している、本発明1001のシステム。
[本発明1007]
前記空気吸入口は空気吸入弁を備え、前記空気吸入弁は、空気を前記折り畳み式空気容器内に流入のみさせる一方向弁である、本発明1006のシステム。
[本発明1008]
ホースを更に備え、前記ホースの第1端は前記空気吸入口に接続され、前記ホースの第2端は前記空気ポンプに接続されている、本発明1007のシステム。
[本発明1009]
外部代用物に取り付けられたリニアアクチュエータを更に備え、前記外部代用物は1つ以上のマーカーを備え、前記リニアアクチュエータは前記ファントムに取り付けられている、本発明1008のシステム。
[本発明1010]
前記マーカーの1つ以上は赤外線マーカーである、本発明1009のシステム。
[本発明1011]
前記外部代用物はＲＰＭボックスである、本発明1010のシステム。
[本発明1012]
前記リニアアクチュエータは、前記電子制御装置と電子的に通信し、前記電子制御装置は、前記リニアアクチュエータの運動を制御するように構成されている、本発明1009のシステム。
[本発明1013]
前記電子制御装置はＲＳＤ制御装置である、本発明1012のシステム。
[本発明1014]
前記ファントムを載せるプラットフォームを更に備える、本発明1001のシステム。
[本発明1015]
前記プラットフォームは、前記プラットフォームを進めるように構成された1つ以上の車輪を備える、本発明1014のシステム。
[本発明1016]
前記プラットフォームの前記1つ以上の車輪を載せるベッドを更に備える、本発明1015のシステム。
[本発明1017]
前記プラットフォームの前記1つ以上の車輪に対応するように構成された1本以上のレールを更に備える、本発明1016のシステム。
[本発明1018]
磁気共鳴画像化スキャナを更に備える、本発明1017のシステム。
[本発明1019]
コンピュータ断層撮影（ＣＴ）スキャナを更に備える、本発明1017のシステム。
[本発明1020]
前記折り畳み式空気容器は蛇腹である、本発明1001から1019のいずれかのシステム。
[本発明1021]
本発明1001から1019のいずれかのシステムと、
ＣＴスキャナ及び／またはＭＲＩスキャナを用いて前記ファントムを画像化するためのその使用説明書と
を含むキット。